(57)【要約】【課題】扉に設けられているヒンジ受け部を誤って先に外しても、扉が本体から外れない自動販売機を提供する。【解決手段】扉１４の端部に設けられたヒンジガイド部４４と、ヒンジガイド部４４に開口し、上ヒンジ軸３２が貫通する貫通孔４６と、扉１４の端部で、かつ、ヒンジガイド部４４より下方に設けられ、貫通孔４６を貫通した上ヒンジ軸３２が係合するヒンジ受け部４８を有する。【選択図】      図１
2012216041.tif 000002
【特許請求の範囲】
【請求項１】
本体と、前記本体の前面に配された片開き式の扉を有する自動販売機において、
前記本体の天井部の端部から前方に突出したヒンジプレートと、
前記ヒンジプレートから下方に突出した上ヒンジ軸と、
前記扉の端部に設けられたヒンジガイド部と、
前記ヒンジガイド部に開口し、前記上ヒンジ軸が貫通する貫通孔と、
前記扉の前記端部に設けられ、前記貫通孔を貫通した前記上ヒンジ軸が係合するヒンジ受け部と、
を有することを特徴とする自動販売機。
【請求項２】
前記本体の底部の端部から上方に突出した下ヒンジ軸と、
前記扉の底部の端部に設けられ、前記下ヒンジ軸が係合する下ヒンジ軸孔と、
をさらに有することを特徴とする請求項１に記載の自動販売機。
【請求項３】
前記ヒンジプレートは、前記本体にボルトで固定され、
前記ヒンジ受け部は、前記扉にボルトで固定され、
前記ヒンジガイド部は、前記扉に溶接されている、
ことを特徴とする請求項１又は２に記載の自動販売機。
【請求項４】
前記ヒンジプレートには、回動する前記扉の側面が入り込むための逃げ部が切り欠かれ、
前記逃げ部が切り欠かれた前記ヒンジプレートの縁部には、下方に折曲された折曲部が形成されている、
ことを特徴とする請求項１乃至３のいずれか一項に記載の自動販売機。
【発明の詳細な説明】
【技術分野】
【０００１】
本発明は、タバコ、飲料水、券などの自動販売機に関し、特に扉の取り付け構造に関するものである。
【背景技術】
【０００２】
従来より、タバコ、飲料水、券などの自動販売機は、本体と、片開き式の扉を有する。この扉は本体に対し、ヒンジ機構を介して開閉可能に支持される。ヒンジ機構としては、例えば本体の天井部よりヒンジプレートが突出し、このヒンジプレートの先端にヒンジ軸が突出し、扉には、このヒンジ軸が係合するヒンジ受け部が設けられている（例え
ば、特許文献１、２参照）。
【先行技術文献】
【特許文献】
【０００３】
【特許文献１】特開２０００−３２２６４２号公報
【特許文献２】特開２００４−２１３５１３号公報
【発明の概要】
【発明が解決しようとする課題】
【０００４】
上記のような扉を有する自動販売機において、扉には、商品見本の展示室、商品搬出シュート、入金機構、金銭処理部などの装置が取り付けられているため、これらを含めた扉全体の重心は、本体とは反対側の扉の前部に位置しているものが多い。
【０００５】
一方、メンテナンス、悪意などの破損も含めて扉が破損した場合には、扉を本体より外し、新しい扉に交換する必要がある。扉を本体より外すには、上記のように扉の重心が前部にあるため、扉の倒れ防止のために作業者の１人が扉を支持し、この状態でもう１人の作業者がヒンジプレートを本体より外し、その後に扉のヒンジ受け部を外す手順となる。そして、作業員がこの正しい手順通りに行えば、扉が本体より分離されたときに扉が倒れることを防止するために、もう１人の作業者によって扉を支持する行動を取ることができる。
【０００６】
しかし、このような正しい手順を知らない作業者や、またこの手順を忘れたなどの理由により、誤って扉側のヒンジ受け部を先に外してしまうと、その段階で扉が本体に対して自由となり、扉が自重で倒れるという問題点があった。
【０００７】
そこで、本発明は上記問題点に鑑み、扉に設けられているヒンジ受け部を誤って先に外しても、扉が本体から外れない自動販売機を提供する。
【課題を解決するための手段】
【０００８】
本発明は、本体と、前記本体の前面に配された片開き式の扉を有する自動販売機において、前記本体の天井部の端部から前方に突出したヒンジプレートと、前記ヒンジプレートから下方に突出した上ヒンジ軸と、前記扉の端部に設けられたヒンジガイド部と、前記ヒンジガイド部に開口し、前記上ヒンジ軸が貫通する貫通孔と、前記扉の前記端部に設けられ、前記貫通孔を貫通した前記上ヒンジ軸が係合するヒンジ受け部と、を有することを特徴とする自動販売機である。
【発明の効果】
【０００９】
本発明の自動販売機によれば、誤って扉側のヒンジ受け部を取り外しても、扉が本体から外れたりすることがない。そのため、扉の転倒が防止され、安全である。
【図面の簡単な説明】
【００１０】
【図１】本発明の一実施形態を示す自動販売機の斜視図である。
【図２】扉を開いた状態の上ヒンジ軸近傍の斜視図である。
【図３】ヒンジ受け部を取り外した状態の斜視図である。
【図４】扉を開けたときの上ヒンジ軸を下から見たときの斜視図である。
【図５】自動販売機の内側から上ヒンジ軸近傍を見たときの横断面図である。
【図６】図５におけるＡ−Ａ断面図である。
【発明を実施するための形態】
【００１１】
以下、本発明の一実施形態の自動販売機１０について、図１〜図６に基づいて説明する。
【００１２】
以降、左、右とは、図１で、自動販売機１０を扉１４の前面側から見た場合の右側と左側をそれぞれ意味する。
【００１３】
（１）自動販売機１０の構造
まず、自動販売機１０の構造について図１に基づいて説明する。図１は、本実施形態の自動販売機１０の斜視図である。
【００１４】
自動販売機１０の本体１２の前面には、ヒンジ機構により片開き式に取り付けられた扉１４が配されている。扉１４の前面には、タバコや飲料水などの陳列棚１６、それら商品の選択スイッチ１８が設けられ、扉１４の下部には商品の取出し口２０が設けられている。また、扉１４の前面中央部には、コイン投入口２２、紙幣投入口２４、返却スイッチ２６、つり銭返却口２８が設けられている。また、図示はしないがコインや紙幣の処理を行う金銭処理装置などが扉１４内部に内蔵されている。そのため、扉１４の重心は前部、すなわち本体１２とは反対側に存在する。
【００１５】
本体１２内部にはコラムが複数設けられ、各商品がそれぞれのコラムに収納され、これらコラムから商品を１個づつ搬出する搬出装置が設けられている。
【００１６】
（２）ヒンジ機構の構造
次に、上ヒンジ軸３２と下ヒンジ軸３４からなるヒンジ機構について図２〜図６に基づいて説明する。
【００１７】
まず、上ヒンジ軸３２について説明する。
【００１８】
本体１２の天井面からは、前方に張り出した板状の上カバー３６が設けられ、本体１２の両側面には、それぞれ前方に張り出した板状の側面カバー３８が設けられている。この上カバー３６と側面カバー３８によって、本体１２に対して扉１４が開いた状態でも、閉まった状態でも、本体１２と扉１４との間の隙間が外部から見えない。
【００１９】
本体１２の天井部の右端部の下面、すなわち、上カバー３６の右端部の下面には、金属板よりなるヒンジプレート３０が、下方から４本のボルトによつて水平に固定されている。なお、ヒンジプレート３０を取り付けるため４本のボルトは、図中では省略している。ヒンジプレート３０は、上カバー３６から更に突出し、この突出した部分の右側面側には、弧を描くように切欠かれた逃げ部４０が形成されている。この逃げ部４０は、扉１４を開けたときには、図２に示すように、扉１４の側面が逃げ部４０に入り込み、扉１４を大きく開くことができるようにするための切欠きである。この逃げ部４０に対応したヒンジプレート３０の縁部、すなわちヒンジプレート３０の前端部は下方に折曲され折曲部４２が形成され、強度を強くしている。ヒンジプレート３０の右前端部の下面には、上ヒンジ軸３２が溶接されている。
【００２０】
一方、扉１４の端部、実施形態では右側面内側には、板状のヒンジガイド部４４が溶接にて扉１４に取り付けられ、ヒンジガイド部４４が内側に向かって突出している。ヒンジガイド部４４と扉１４の天井部との間には隙間が存在し、この隙間の大きさはヒンジプレート３０の折曲部４２が挿入できる大きさよりも大きく形成されている。このヒンジガイド部４４には、上ヒンジ軸３２が貫通するための貫通孔４６が開口している。この貫通孔４６は、上ヒンジ軸３２の外径よりも大きく形成されている。
【００２１】
ヒンジガイド部４４の下方には、ヒンジ受け部４８がボルト５０によって固定されている。このヒンジ受け部４８は図２及び図３に示すように、金属板を折曲して箱型をなし、この箱型の上面５２に上ヒンジ軸３２が係合する係合孔５４が開口している。また、ヒンジ受け部４８には、ボルト５０を止めるためのフランジ部５６が外側に突出するように設けられている。
【００２２】
図６に示すように、本体１２に扉１４を取り付けている場合には、ヒンジプレート３０の右前端部から下方に突出した上ヒンジ軸３２が、ヒンジガイド部４４の貫通孔４６を貫通した後、ヒンジ受け部４８の係合孔５４に係合している。
【００２３】
次に、下ヒンジ軸３４について説明する。
【００２４】
本体１２の底部には、前方に突出した基台が設けられ、この基台の上に扉１４が配されると共に、この基台の右端部に下ヒンジ軸３４が突出している。一方、扉１４の底部には下ヒンジ軸孔が開口し、下ヒンジ軸３４が係合する。
【００２５】
上記構成により、扉１４が上ヒンジ軸３２と下ヒンジ軸３４に取り付けられると、本体１２に対し回動自在となる。
【００２６】
（３）扉１４を取り替える場合
次に、作業者が扉１４を取り替える正しい手順について説明する。
【００２７】
第１に、作業者が、本体１２とヒンジプレート３０とを締結している４本のボルトを外して、扉１４を本体１２より取り外す。この場合に、もう一人の作業者が扉１４が前方に倒れないように支えておく。
【００２８】
第２に、作業者が、扉１４にボルト５０で締結されているヒンジ受け部４８を取り外す。
【００２９】
第３に、作業者がヒンジプレート３０を斜めにして、ヒンジガイド部４４の貫通孔４６から上ヒンジ軸３２を抜く。
【００３０】
第４に、作業者が、逆の手順で新しい扉１４を本体１２に取り付ける。すなわち、作業者が、ヒンジプレート３０を斜めにして、ヒンジプレート３０の先端に溶接された上ヒンジ軸３２を新しい扉１４に設けられたヒンジガイド部４４の貫通孔４６に通す。
【００３１】
第５に、作業者が、ヒンジ受け部４８の係合孔５４に上ヒンジ軸３２を通しながら、新しい扉１４にヒンジ受け部４８をボルト５０で右側面内側に取り付ける。
【００３２】
第６に、作業者が、扉１４の下部に設けられた下ヒンジ孔に、本体１２の底部より突出した下ヒンジ軸３４を挿入する。
【００３３】
第７に、作業者が、扉１４に取り付けられたヒンジプレート３０を、本体１２の天井部下面に４本のボルトで取り付ける。これにより、扉１４を交換ができる。
【００３４】
ところが、上記正しい手順に従わず、作業者が最初に扉１４に取り付けられているヒンジ受け部４８を取り外した場合、従来は扉１４が本体１２から外れて倒れる恐れがあった。しかし、本実施形態では、ヒンジ受け部４８を外しても、上ヒンジ軸３２がヒンジガイド部４４の貫通孔４６を貫通しているため、扉１４が本体１２から外れることがない。そのため、扉１４が倒れたりすることがなく、安全である。
【００３５】
（４）効果
以上により本実施形態の自動販売機１０であると、作業者がヒンジ受け部４８を誤って先に扉１４から取り外しても、ヒンジガイド部４４によって上ヒンジ軸３２が支持されているため、扉１４が倒れたりすることがない。
【００３６】
また、ヒンジプレート３０の逃げ部４０に対応する縁部には、折曲部４２が形成されているため、逃げ部４０を形成しても、ヒンジプレート３０の強度を保持できる。
【００３７】
また、新しい扉１４に取り替えても、ヒンジプレート３０とヒンジ受け部４８を再利用できる。
【００３８】
（５）変更例
上記実施形態では、本体１２の右側にヒンジ機構を取り付けたが、これに代えて左側に取り付けてもよい。
【００３９】
上記では本発明の一実施形態を説明したが、この実施形態は、例として提示したものであり、発明の範囲を限定することは意図していない。本発明の主旨を逸脱しない範囲で、種々の省略、置き換え、変更を行うことができる。
【符号の説明】
【００４０】
１０・・・自動販売機、１２・・・本体、１４・・・扉、３０・・・ヒンジプレート、３２・・・上ヒンジ軸、３４・・・下ヒンジ軸、４０・・・逃げ部、４２・・・折曲部、４４・・・ヒンジガイド部、４６・・・貫通孔、４８・・・ヒンジ受け部、５０・・・ボルト、５２・・・上面、５４・・・係合孔
【図１】
2012216041.tif 000003
【図２】
2012216041.tif 000004
【図３】
2012216041.tif 000005
【図４】
2012216041.tif 000006
【図５】
2012216041.tif 000007
【図６】
2012216041.tif 000008